(57)【要約】【課題】リーダ／ライタの書き込み機能を用いて、携帯通信端末に簡単な操作で所望の情報を提供する。【解決手段】ＲＯＭに、他と区別するための識別情報と、提供する情報を指定する指定情報を記録してなる複数の非接触式リーダ／ライタ１１と、各リーダ／ライタ１１と対応づけて識別情報を記録したリーダ／ライタ識別情報サーバ４２と、リーダ／ライタに記録された指定情報で指定されるホームページ掲載情報を送信するホームページ掲載情報通信サーバ４３とを備え、携帯通信端末２１をリーダ／ライタ１１にかざして、ＲＯＭに記録してある識別情報と指定情報を書き込み、アクセスを受けたホームページ掲載情報通信サーバ４３は、リーダ／ライタ識別情報サーバ４２からリーダ／ライタ情報を取得するとともに、携帯通信端末２１にホームページ掲載情報を送信する。【選択図】図１
2011181026.tif 000002
【特許請求の範囲】
【請求項１】
ＲＯＭを内蔵し、このＲＯＭに、他と区別するために一義的に付与された識別情報と、提供する情報を指定する指定情報を記録し、所望の場所に設置してなる複数の非接触式のリーダ／ライタと、前記識別情報をこれが付与されたリーダ／ライタと対応づけて記録した識別情報サーバと、前記リーダ／ライタに記録された指定情報で指定される提供情報を送信する提供情報通信サーバとを備え、携帯通信端末に対して前記リーダ／ライタからそのＲＯＭに記録してある識別情報と指定情報を書き込み、書き込まれた携帯通信端末から前記提供情報通信サーバにアクセスがあると、前記提供情報通信サーバは受信した識別情報に対応するリーダ／ライタ情報を前記識別情報サーバから取得するとともに、受信した指定情報に対応する提供情報を前記携帯通信端末に送信することを特徴とする情報提供方法。
【発明の詳細な説明】
【技術分野】
【０００１】
本発明は、携帯電話機などの携帯通信端末のアクセスに応じて、ＵＲＬ情報で指定されるホームページに掲載された情報などの所望の情報を、前記携帯通信端末に提供する情報提供方法に関する。
【背景技術】
【０００２】
近年、街頭や地下通路の壁面に掲示した各種の広告パネルや、雑誌の広告掲載ページなどの各種広告媒体に、ホームページのＵＲＬ情報を記載して、パソコンや携帯通信端末に前記ＵＲＬ情報を入力することで、ホームページにアクセス可能とし、より詳細な情報を提供可能にしている。しかしながら、ＵＲＬ情報は、通常使用することの少ない記号や、アルファベットの大文字と小文字の使い分けなど、入力作業が煩雑で、入力ミスも起こりがちであるため、さほど利用されていない。
【０００３】
これを改善すべく、広告媒体にＵＲＬ情報を示す2次元コード、例えばＱＲコードを商品とともに表示しておき、利用者がカメラ付き携帯電話機のカメラで前記ＱＲコードを読み取ると、ＵＲＬ情報が携帯電話機に取り込まれ、利用者がその携帯電話機で前記ＵＲＬにアクセスすると、ホームページに接続されて、詳細な商品情報を携帯電話機の画面に表示する、情報提供方法が提案されている（特許文献１）。
【先行技術文献】
【特許文献】
【０００４】
【特許文献１】特開２００２−１１１９０９号公報
【発明の開示】
【発明が解決しようとする課題】
【０００５】
しかしながら、２次元コードの読み取りに際しては、通常の撮影モードと２次元コード読み取りモードの選択設定を、携帯電話機の操作キーによって行なう必要があるため煩雑である、という不都合がある。本発明はこの不都合を解消した情報提供方法を提供することを目的とする。
【課題を解決するための手段】
【０００６】
前記目的を達成するために、本発明の請求項１に係る情報提供方法は、ＲＯＭを内蔵し、このＲＯＭに、他と区別するために一義的に付与された識別情報、例えば一対一で対応するキーコードと、提供する情報を指定する指定情報、例えばホームページのＵＲＬ情報とを記録し、所望の場所に設置してなる複数の非接触式のリーダ／ライタと、前記識別情報をそれが付与されたリーダ／ライタと対応づけて記録した識別情報サーバと、前記リーダ／ライタに記録された指定情報で指定される提供情報を送信する提供情報通信サーバとを備え、前記非接触式のリーダ／ライタの通信プロトコルと適合する携帯通信端末に、前記リーダ／ライタのＲＯＭに記録してある識別情報と指定情報を書き込み、書き込まれた携帯通信端末から前記提供情報通信サーバにアクセスがあると、前記提供情報通信サーバは受信した識別情報に対応するリーダ／ライタ情報を前記識別情報サーバから取得するとともに、受信した指定情報に対応する提供情報を前記携帯通信端末に送信するものである。
【０００７】
リーダ／ライタに携帯通信端末をかざすだけで指定情報を携帯通信端末に取り込むことができ、取り込んだ指定情報に基づき提供情報通信サーバにアクセスすることにより、所望の提供情報を入手することができる。また、提供情報通信サーバは、受信した識別情報を識別情報サーバに送り、識別情報サーバで記録されている識別情報と参照し、指定情報を書き込んだ前記リーダ／ライタを特定して、このリーダ／ライタ情報を提供情報通信サーバが取得する。
【発明の効果】
【０００８】
本願の請求項１の発明によれば、所望の場所に設置したリーダ／ライタにかざされた携帯通信端末に、前記リーダ／ライタのＲＯＭに書き込まれた指定情報で特定される所望情報を提供できるという効果を奏する。
【図面の簡単な説明】
【０００９】
【図１】本発明を実施するためのシステム構成を示す概略的な構成図。
【図２】リーダ／ライタの構成を示すブロック図。
【発明を実施するための最良の形態】
【００１０】
はじめに、本発明を実施するためのシステム構成の一例を説明する。図１に示すように、非接触式のリーダ／ライタ１１，１２，１３は、街頭や地下通路の壁面に掲示した情報提供者の広告パネルの裏面側、情報提供者の店頭、情報提供者の店内のレジカウンタなどの所望の場所に設置される。図２に示すように、これらリーダ／ライタ１１，１２，１３は、通信部１とＣＰＵ２とＲＯＭ３とこれらの電源である電源電池４を備えている。
【００１１】
通信部１は、携帯通信端末である携帯電話機２１，２２，２３との間での通信を行なうもので、非接触式の特定の通信プロトコル、例えばフェリカ（登録商標）方式にしたがって携帯電話機２１，２２，２３に対する読み込み、書き込みを行なう。ＣＰＵ２は、図示していないＲＯＭにあらかじめ格納されたプログラムにしたがって、前記読み込み、書き込み動作をはじめとするすべての動作を制御する。ＲＯＭ３は前記プログラムが格納されたＲＯＭとは別途設けられたもので、各リーダ／ライタ１１，１２，１３を他と区別するために、各リーダ／ライタ１１，１２，１３毎に一義的に付与された識別情報である一対一で対応するキーコードと、提供する情報を指定する指定情報であるホームページのＵＲＬ情報と、アクセス先を示すアクセス情報を、各リーダ／ライタ１１，１２，１３の設置に先立って、図示していないパソコンを用いて記録してある。前記アクセス情報は、後述するホームページ掲載情報通信サーバ４３にアクセスするためのものである。
【００１２】
なお、説明の便宜上、図１にはリーダ／ライタ１１，１２，１３を３台のみ図示しているが、実際には３台にとどまらず、多数のリーダ／ライタが設置されているものである。前記リーダ／ライタ１１，１２，１３は、電源電池４を内蔵しているので、商用電源の供給が困難な場所にも設置可能であり、設置場所の選択自由度が広がることになる。
【００１３】
携帯電話機２１，２２，２３は、上述した非接触式のリーダ／ライタ１１，１２，１３の通信プロトコルと適合する、例えばフェリカ（登録商標）機能が搭載されているもので、携帯電話通信システム２４を介してインターネットなどの通信ネットワーク３１に接続される。これら携帯電話機２１，２２，２３は、提供情報であるホームページ掲載情報の取得を望む利用者が所持しているもので、利用者とともに移動する。これら携帯電話機２１，２２，２３は、上述したアクセス情報が書き込まれると、通常の送信操作をすることで自動的に前記アクセス先に、アクセス情報と同時に書き込まれた情報を送信する機能を有している。
【００１４】
図１において、４１は提供情報管理センタであり、ここには各リーダ／ライタ１１，１２，１３に付与された各キーコードと設置場所情報、及びホームページ掲載情報の提供者である各リーダ／ライタ１１，１２，１３の設置者名を対応づけて記録する識別情報サーバたるリーダ／ライタ識別情報サーバ４２と、前記各リーダ／ライタ１１，１２，１３に記録されたＵＲＬ情報で指定されるホームページ掲載情報を通信ネットワーク３１、携帯電話通信システム２４を介してアクセスがあった携帯電話機２１，２２，２３に送信する提供情報通信サーバたるホームページ掲載情報通信サーバ４３が設置されている。
【００１５】
リーダ／ライタ識別情報サーバ４２には、パソコン４５により各リーダ／ライタ１１，１２，１３に付与された各キーコードと設置場所及び設置者名が互いに対応づけて書き込まれる。なお、前記キーコードは、暗号処理化されていることが望ましい。また、ホームページ掲載情報通信サーバ４３は、ホームページデータベース４４からＵＲＬ情報で指定されるホームページの掲載情報を取得する一方、リーダ／ライタ識別情報サーバ４２から前記キーコードに対応する設置場所及び設置者名を読み出し、利用対象となったリーダ／ライタ１１，１２，１３をキーコード、設置場所及び設置者名で特定するとともに、これらの特定情報を保存する。これら特定情報は管理用のパソコン４６で携帯電話機２１，２２，２３のアクセス日時と紐付けされて、その記憶部に格納される。
【００１６】
続いて、上述のシステム構成を用いて行なうホームページ掲載情報の提供方法について説明する。各リーダ／ライタ１１，１２，１３は同一構成であり、また、各携帯電話機２１，２２，２３との組み合わせも図示の例に限らず、互いの通信プロトコルが適合すればよいのであるが、ここではリーダ／ライタ１１と携帯電話機２１を例にして説明する。
【００１７】
リーダ／ライタ１１の通信部１に利用者の携帯電話機２１がかざされると、この携帯電話機２１に前記リーダ／ライタ１１のＲＯＭ３に記録してあるキーコードとＵＲＬ情報とアクセス先情報が書き込まれる。携帯電話機２１の通常の送信操作で、書き込まれたキーコードとＵＲＬ情報は、前記携帯電話機２１から携帯電話通信システム２４及び通信ネットワーク３１を介して、アクセス先であるホームページ掲載情報通信サーバ４３に送信される。
【００１８】
前記携帯電話機２１から前記ホームページ掲載情報通信サーバ４３にアクセスがあると、前記ホームページ掲載情報通信サーバ４３はリーダ／ライタ識別情報サーバ４２に受信したキーコードを送り、これを受けたリーダ／ライタ識別情報サーバ４２は記録されているキーコードに対応する設置場所及び設置者名を検索し、前記ホームページ掲載情報通信サーバ４３に検索した設置場所及び設置者名を送り返す。このリーダ／ライタ１１に関する設置場所及び設置者名は、アクセス日時と紐付けされてパソコン４６の管理データベースに格納される。
【００１９】
また、ホームページ掲載情報通信サーバ４３は、ＵＲＬ情報で指定されるホームページ掲載情報をホームページデータベース４４から取り込み、この取り込んだホームページ掲載情報を、アクセスを受けた携帯電話機２１に、通信ネットワーク３１及び携帯電話通信システム２４を介して送信する。これによって、利用者は通常の受信操作により、自己の携帯電話機２１に所望のホームページ掲載情報の提供を受けることができる。
【００２０】
このようにして、上述した実施形態によれば、リーダ／ライタ１１の通信部１に携帯電話機２１をかざして、通常の送信操作及び受信操作を行なうという簡便な作業だけで、この携帯電話機２１に所望のホームページ掲載情報を取り込むことができる。一方、ホームページ掲載情報提供者は、提供情報管理センタ４１から送られてくる各リーダ／ライタ１１，１２，１３に関するアクセス数やアクセス日時のデータを分析することで、広告効果を検証することが可能である。
【００２１】
なお、本発明は上述の実施形態に限定されるものではなく、例えば、リーダ／ライタ１１，１２，１３は、電源電池４を内蔵するほか、商用電源を用いるものでもよい。また、提供する情報はホームページ掲載情報のほか、通信販売カタログ情報などでもよい。さらに、携帯通信端末は携帯電話機２１，２２，２３に限らない。またさらに、リーダ／ライタ識別情報サーバ４２とホームページ掲載情報通信サーバ４３は提供情報管理センタ４１のような同一場所に設置する必要はなく、距離的に離れた別々の場所に設置しても何ら問題はないほか、提供情報管理センタ４１は必ずしも必要ではない。
【符号の説明】
【００２２】
１      通信部
２      ＣＰＵ
３      ＲＯＭ
４      電源電池
１１，１２，１３      リーダ／ライタ
２１，２２，２３      携帯電話機
２４      携帯電話通信システム
３１      通信ネットワーク
４１      提供情報管理センタ
４２      リーダ／ライタ識別情報サーバ
４３      ホームページ掲載情報通信サーバ
４４      ホームページデータベース
４５，４６      パソコン
【図１】
2011181026.tif 000003
【図２】
2011181026.tif 000004